(57)【要約】【課題】短時間で製造できる品質の高いカジノ用プラーク１を提供する。【解決手段】第一の面３及び第二の面４を有する板状のセンタープレート２と、加飾印刷１１が施された第一の化粧プレート５ａ及び第二の化粧プレート５ｂと、第一の熱硬化接着シート７ａ及び第二の熱硬化接着シート７ｂと、で構成され、前記センタープレート２が、前記第一の面３において、前記第一の熱硬化接着シート７ａを介して前記第一の化粧プレート５ａと接着されており、前記第二の面４において、前記第一の熱硬化接着シート７ｂを介して前記第一の化粧プレート５ｂと接着されていること、を特徴とするカジノ用プラーク１。【選択図】図１
2017202169.tif 000002
【特許請求の範囲】
【請求項１】
第一の面及び第二の面を有する板状のセンタープレートと、
加飾印刷が施された第一の化粧プレート及び第二の化粧プレートと、
第一の熱硬化接着シート及び第二の熱硬化接着シートと、で構成され、
前記センタープレートが、前記第一の面において、前記第一の熱硬化接着シートを介して前記第一の化粧プレートと接着されており、前記第二の面において、前記第一の熱硬化接着シートを介して前記第一の化粧プレートと接着されていること、
を特徴とするカジノ用プラーク。
【請求項２】
前記第一の熱硬化接着シート及び第二の熱硬化接着シートが、不織布と前記不織布に含浸された熱硬化性接着剤とで構成されていること、
を特徴とする請求項１に記載のカジノ用プラーク。
【請求項３】
前記センタープレートが、ガラス繊維強化プラスチック材料で構成され、内部に情報識別子を内蔵すること、
を特徴とする請求項１又は２に記載のカジノ用プラーク。
【請求項４】
前記第一の化粧プレート及び前記第二の化粧プレートが、アクリル樹脂で構成されており、表面にＵＶ硬化膜を有すること、
を特徴とする請求項１〜３のうちのいずれかに記載のカジノ用プラーク。
【発明の詳細な説明】
【技術分野】
【０００１】
本発明は、優れた剛性を有するカジノ用プラークに関する。
【背景技術】
【０００２】
カジノは、ルーレットやブラックジャック等のカードゲームを行う遊技場の名称であり、種々の国においてそのような興業が行われている。また、現在ではカジノを単なる遊技場としてではなく、観光産業及び地域復興等を可能とする施設としても重要視されつつある。
【０００３】
当該カジノにおける遊戯は、遊戯者がカジノ運営者側から「プラーク」と称される遊戯用の角チップを借り、当該プラークがカジノで行われているゲームに使用される。このプラークは、カジノにより形状及びデザインが異なるが、概ね四角形又は円形の樹脂プレートが用いられている。
【０００４】
また、従来のプラークは、最終製品のコストを低減するといった理由から、人件費を含む生産コストが低い地域で加工されている。最終製品は、加飾を施した５〜１０枚程度の樹脂プレートを積層圧着し、抜き及び細部の外形調整等における仕上げ工程（後加工）を施して形成されている。なお、このようなプラークに関する先行技術文献は出願人が調べる限り見受けられない。
【発明の概要】
【発明が解決しようとする課題】
【０００５】
しかしながら、上記従来のプラークにおける製造方法では、積層圧着工程の後に、抜き及び細部の外形調整における仕上げ工程を個別に行う必要があり、製造を完了するまでには長時間が必要となるため、人件費を含む生産コストが高くなりつつある地域での加工は次第に困難になってきた。また、カジノにおいて現金同様の役割を担うというプラークの特性上、盗難や偽造を効果的に防止する必要もある。
【０００６】
ここでプラークの構造に着目すると、当該プラークを構成する加飾された樹脂プレートの数が多いため、各プレートを接着するための接着層も比例して多くなっている。このため、当該製造方法で造られたプラークにおいては、各プレート間でズレが発生することがあり、また、プラークを構成する各プレートは比較的薄いため、外圧等によって容易に湾曲してしまい、品質の観点から未だ改善の余地があった。
【０００７】
そこで、本発明は、上記問題に鑑みて創作されたものであり、従来に比して短時間で製造することができる高い品質と、セキュリティと、を有するカジノ用プラークを提供することを目的とする。
【課題を解決するための手段】
【０００８】
上記の課題を解決すべく、本発明は、
第一の面３及び第二の面４を有する板状のセンタープレート２と、
加飾印刷１１が施された第一の化粧プレート５ａ及び第二の化粧プレート５ｂと、
第一の熱硬化接着シート７ａ及び第二の熱硬化接着シート７ｂと、で構成され、
前記センタープレート２が、前記第一の面３において、前記第一の熱硬化接着シート７ａを介して前記第一の化粧プレート５ａと接着されており、前記第二の面４において、前記第一の熱硬化接着シート７ｂを介して前記第一の化粧プレート５ｂと接着されていること、を特徴とするカジノ用プラーク１を提供する。
【０００９】
このような構成を有する本発明のカジノ用プラーク１は、センタープレート２を中心として第一の化粧プレート５ａ及び第二の化粧プレート５ｂを重ねた積層構造体であり、少ない部品数で構成されている。このため、センタープレート２と、第一の化粧プレート５ａと、第二の化粧プレート５ｂと、における全てのプレートは成型工程において略仕上げまでを行うことができ、積層圧着工程後の仕上げ工程を省略することで製作にかかる時間を短縮しコスト低減することができる。また、本発明のカジノ用プラーク１は、センタープレート２と、第一の化粧プレート５ａと、第二の化粧プレート５ｂと、の接着層が２層のみとなることから、層ずれを抑制することができる。
【００１０】
また、本発明のカジノ用プラーク１は、
前記第一の熱硬化接着シート７ａ及び第二の熱硬化接着シート７ｂが、不織布２１と、前記不織布２１に含浸された熱硬化性接着剤２３と、で構成されていること、が望ましい。
【００１１】
このような構成を有する本発明のカジノ用プラーク１は、液体の接着剤や高温高圧を必要とする接着法や溶着法を使用せず、低加熱及び低加圧により硬化を達成する第一の熱硬化接着シート７ａ及び第二の熱硬化接着シート７ｂを使用して製造されることから、液体の接着剤における液漏れや加熱及び加圧時におけるにおける部品の変形等、積層圧着工程のトラブルを防止することができる。
【００１２】
また、本発明のカジノ用プラーク１においては、
前記センタープレート２が、ガラス繊維強化プラスチック材料で構成され、内部に情報識別子１３を内蔵すること、が好ましい。
【００１３】
このような構成を有する本発明のカジノ用プラーク１は、センタープレート２がガラス繊維強化プラスチック材料で構成されているため、バランスよく優れた剛性及び重量感を有する。また、当該カジノ用プラーク３内部には、プラークの個別情報を記憶して、専用の装置に当該個別情報を送信可能な情報識別子１３を備えており、遊戯者が不正行為を行えないようセキュリティ性を高めることができる。
【００１４】
また、本発明のカジノ用プラーク１においては、また、
前記第一の化粧プレート５ａ及び前記第二の化粧プレート５ｂが、アクリル樹脂で構成されており、表面にＵＶ硬化膜９を有すること、が好ましい。
【００１５】
このような構成を有する本発明のカジノ用プラーク１は、第一の化粧プレート５ａ及び第二の化粧プレート５ｂが優れた耐熱性を有するアクリル樹脂で構成されているため、積層圧着工程時の加熱及び加圧による変形を防止することができる。また、第一の化粧プレート５ａ及び第二の化粧プレート５ｂは表面にＵＶ硬化膜９を有することから、該ＵＶ硬化膜９の下に施された加飾印刷１１を保護することができる。
また、アクリル樹脂が透明性に優れるため、裏面に加飾を施すことも可能であり、意匠性を高めることができる。
【図面の簡単な説明】
【００１６】
【図１】本実施形態に係るカジノ用プラーク１の概要を示す斜視図である。
【図２】図１におけるセンタープレート２の構造を示す斜視図である。
【図３】図１における化粧プレート５の構造を示す斜視図である。
【図４】図１における熱硬化接着シート７の構造を示す断面図である。
【図５】本実施形態に係るカジノ用プラーク１における構造を示した分解図である。
【発明を実施するための形態】
【００１７】
以下、本発明に係るカジノ用プラークの一実施形態を、図１〜図５を参照しながら詳細に説明する。但し、本発明は図示されるものに限られず、また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１８】
図１を用いて本発明の代表的な本実施形態に係るカジノ用プラーク１における概要を説明する。図１は、本実施形態に係るカジノ用プラーク１の概要を示す斜視図である。本実施形態のカジノ用プラーク１は、カジノにおいて使用される角チップであり、概ね本カジノ用プラーク１の基材となり、第一の面３及び第二の面４を有して内部に情報識別子１３を備えるセンタープレート２と、当該センタープレート２が有する第一の面３に接着され、表面に加飾印刷１１及びＵＶ硬化膜を備える第一の化粧プレート５ａと、当該第一の化粧プレート５ａと同様の構成を有し、センタープレート２が有する第二の面４に接着される第二の化粧プレート５ｂと、センタープレート２の第一の面３及び第一の化粧プレート５ａを接着する第一の熱硬化接着シート７ａと、センタープレート２の第二の面４及び第二の化粧プレート５ｂを接着する第二の熱硬化接着シート７ｂと、で構成されている。
【００１９】
本実施形態は、センタープレート２と、第一の化粧プレート５ａと、第二の化粧プレート５ｂと、をそれぞれあらかじめ成型し、その後にこれらを接着して積層し、後加工における仕上げ工程の省略と、各プレート間の層ズレ及び曲がりの抑制と、を可能とするものである。
【００２０】
次に、図２を用いてセンタープレート２における詳細について説明する。図２は、図１におけるセンタープレート２の構造を示す斜視図である。センタープレート２は、本実施形態のカジノ用プラーク１における積層の中心となる基材であり、高比重のガラス繊維強化プラスチック材料（ＧＦＲＰ）で構成された平滑な板である。また、当該センタープレート２は、第一の面３及び第二の面４を有する。
【００２１】
また、センタープレート２は、内部に本実施形態のカジノ用プラーク１における個別情報を記憶して、専用の装置に当該個別情報を送信可能な情報識別子１３を備えており、成型時にセンタープレート２内部に当該情報識別子１３が埋め込まれている。
【００２２】
センタープレート２に使用される高比重のガラス繊維強化プラスチック材料は、柔軟なナイロン（登録商標）等のポリアミド樹脂にガラス繊維を混合して固化させたものであり、「ＧＦＲＰ」や「ＧＭＴ」とも称される。ガラス繊維はそのサイズにもよるが配向していても配向していなくてもよい。
【００２３】
また、センタープレート２を構成するガラス繊維強化プラスチック材料は、本実施形態のカジノ用プラーク１にバランスのよい剛性に加えて所定の重さを付与する必要があるため、ガラス繊維を、例えば略３０重量％以上、好ましくは略５０重量％含有させることが望ましい。当該ガラス繊維強化プラスチック材料で成型されたセンタープレート２により、本実施形態のカジノ用プラーク１は、優れた柔軟性及び耐衝撃性と、所望の重量と、を得ることができる。
【００２４】
次に、図３を用いて化粧プレート５（第一の化粧プレート５ａ及び第二の化粧プレート５ｂ）の詳細について説明する。図３は、図１における化粧プレート５の構造を示す斜視図である。なお、第一の化粧プレート５ａ及び第二の化粧プレート５ｂは、本実施形態のカジノ用プラーク１を構成する各部品の配置を理解容易に説明するため別記載しているものであり、双方に構造的な差異はない。このため、当該プレートにおける構造の説明においては第一の化粧プレート５ａ及び第二の化粧プレート５ｂをまとめて化粧プレート５と記載して説明する。
【００２５】
化粧プレート５は、本実施形態のカジノ用プラーク１における外装となる装飾部品であり、優れた耐熱性を有するアクリル樹脂で構成された平滑な板又はデザインされた形状を有する板である。なお、化粧プレート５はインモールド成型法を用いて形成されている。
【００２６】
化粧プレート５に用いられるアクリル樹脂としては、所定の透明性と剛性とを発揮でき本発明の効果を損なわない範囲で種々のものを用いることができ、例えばポリアクリル酸エステル、ポリメタクリル酸エステル又はポリメタクリル酸メチル等が挙げられる。
【００２７】
また、上述のとおり、化粧プレート５には、本実施形態のカジノ用プラーク１における外装の装飾部品であることから、加飾印刷１１が施されている。当該加飾印刷１１は化粧プレート５の表面及び裏面に施されるものであり、裏面は、インモールド成形転写、転写箔での転写、インクジェット印刷等が用いられている。
【００２８】
表面の加飾印刷１１はインモールド成形転写により施され、ＵＶ硬化膜９が化粧プレート５の最表面に配置されることで摩擦等による外的要因から化粧プレート５における表面の加飾印刷１１を保護している。なお、最表面には、インクジェット印刷等でさらに加飾が追加されることもある。
【００２９】
次に、図４を用いて熱硬化接着シート７（第一の熱硬化接着シート７ａ及び第二の熱硬化接着シート７ｂ）の詳細について説明する。図４は、図１における熱硬化接着シート７の構造を示す断面図である。なお、第一の熱硬化接着シート７ａ及び第二の熱硬化接着シート７ｂは、本実勢形態のカジノ用プラーク１構成する各部品の配置を理解容易に説明するため別記載しているものであり、双方に構造的及び機能的な差異はない。このため、当該シートにおける説明においては第一の熱硬化接着シート７ａ及び第二の熱硬化接着シート７ｂをまとめて熱硬化接着シート７と記載して説明する。
【００３０】
熱硬化接着シート７は、センタープレート２における第一の面３と、第一の化粧プレート５ａと、の接着及び第二の面４と、第二の化粧プレート５ｂと、の接着に用いるシートであり、低温度による短時間の加熱及び加圧で接着効果を発揮する接着材２３を柔軟な不織布２１の両面に含浸させたものである。
【００３１】
熱硬化接着シート７を構成する不織布２１は、略０．０９ｍｍの厚さを有し、本実施形態のカジノ用プラーク１に合わせて所定のサイズにカットされたものである。また、熱硬化性接着剤２３は、略１００〜１２０℃にて略０．３ＭＰａで加圧しつつ１０秒前後加熱することで硬化し、当該熱硬化接着シート７を挟んで当接したプレート同士を接着させることができる。当該熱硬化性接着剤２３は、常温環境下でも微粘着性を有し、接着位置の仮決め及び仮止めを簡便に行うことができる。
【００３２】
続いて、図５を用いて本実施形態のカジノ用プラーク１の製造方法について説明する。図５は、本実施形態に係るカジノ用プラーク１の積層構造を理解するための分解図である。図５に示すとおり、本カジノ用プラーク１は、センタープレート２を中心として第一の化粧プレート５ａ及び第二の化粧プレート５ｂを重ねて構成された積層構造体である。
【００３３】
本実施形態のカジノ用プラーク１の製造方法では、まず、センタープレート２、第一の化粧プレート５ａ、第二の化粧プレート５ｂ、第一の熱硬化接着シート７ａ及び第二の接着シート７ｂを用意する。
【００３４】
センタープレート２と、第一の化粧プレート５ａ及び第二の化粧プレート５ｂと、は、個々のカジノ遊技場において使用されているプラークの形状に合わせて成型を行う。
【００３５】
センタープレート２は、射出成型を用いて成型し、第一の化粧プレート５ａ及び第二の化粧プレート５ｂはインモールド成型を用いて成型を行う。また当該第一の化粧プレート５ａ及び第二の化粧プレート５ｂは成型時に、あらかじめ所望の絵柄を印刷した複数の層から構成されるインモールド転写用フィルムをモールド内に挿入し、化粧プレート５の成型と同時に絵柄の転写を施す。
【００３６】
センタープレート２と、第一の化粧プレート５ａ及び第二の化粧プレート５ｂと、は全ての成型工程（側面部及び表面部の仕上げ工程と、加飾印刷１１を含む）を積層圧着工程より先に完了させることが重要である。
【００３７】
次に、センタープレート２における第一の面３と、第一の化粧プレート５ａと、の間に第一の熱硬化接着シート７ａを挟み、当該第一の面３と、第一の化粧プレート５ａと、を当接させ、第二の面４と、第二の化粧プレート５ｂと、の間に第二の熱硬化接着シート７ｂを挟み、当該第二の面４と、第二の化粧プレート５ｂと、を当接させて積層する。
【００３８】
続いて、積層した状態で、熱プレス装置等を用いて第一の化粧プレート５ａ及び第二の化粧プレート５ｂ双方の表面から、センタープレート２側に所定の圧力をかけつつ加熱処理を行う。この際の圧力、温度及び時間は、第一の化粧プレート５ａ及び第二の化粧プレート５ｂとセンタープレート２とを確実に接着できるよう適宜選択すればよい。例えば略０．３〜０．６ＭＰａの圧力で押圧しつつ、略１００〜１２０℃にて１０〜３６０秒間前後加熱を行うのが好ましい。
【００３９】
加熱完了後、第一の化粧プレート５ａ及び第二の化粧プレート５ｂ双方からセンタープレート２側に加えた押圧を解除し、雰囲気温度下において自然冷却を行うことで積層圧着工程が完了する。
【００４０】
なお、本実施形態のカジノ用プラーク１は、概ね、縦略９０〜１２０ｍｍ、横略６５〜８０ｍｍ、厚さ略６．５ｍｍの寸法と、略４５〜８０ｇの重量と、を有するように構成すればよい。即ち、これらの寸法及び重量を満たすように、センタープレート２、第一の化粧プレート５ａ及び第二の化粧プレート５ｂ、並びに第一の熱硬化接着シート７ａ及び７ｂの寸法及び重量を調整すればよい。
【００４１】
本実施形態のカジノ用プラーク１は、本カジノ用プラーク１を構成する全てのプレートを成型段階で略仕上げまで完了させ、積層圧着工程後における仕上げの後加工を省略しつつ、高比重のガラス繊維強化プラスチック材料で成型したセンタープレート２を中心部品とすることで、優れた剛性を有し、使用による層ずれ等を好適に防止可能とするものである。
【００４２】
以上、本発明の一実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【産業上の利用可能性】
【００４３】
本実施形態のカジノ用プラーク１は、成型段階において略仕上げまで完了させた３枚のプレートを積層圧着させて構成することで仕上げ工程を省略し、製造時間を大幅に短縮する。さらに、中心部品に高比重のガラス繊維強化プラスチック材料で成型したセンタープレート２を使用することで優れた剛性を有し、長期間の使用による層ずれを好適に抑制することができるものである。
【符号の説明】
【００４４】
１      カジノ用プラーク
２      センタープレート
３      第一の面
４      第二の面
５      化粧プレート
５ａ    第一の化粧プレート
５ｂ    第二の化粧プレート
７      熱硬化接着シート
７ａ    第一の熱硬化接着シート
７ｂ    第二の熱硬化接着シート
９      ＵＶ硬化膜
１１    加飾印刷
１３    情報識別子
２１    不織布
２３    熱硬化性接着剤
【図１】
2017202169.tif 000003
【図２】
2017202169.tif 000004
【図３】
2017202169.tif 000005
【図４】
2017202169.tif 000006
【図５】
2017202169.tif 000007